(57)【要約】【課題】作業現場に運び込んだ縦列型枠及び横列型枠を平面十字状に集合させながら、縦枠型枠及び横列型枠のそれぞれの集合端を連結する手間のかかる作業を著しく簡素化することにある。【解決手段】対向する対の多孔性側板１と、この両側板間の長手方向に所定の間隔を存して配置すると共に、前記側板に両側端を回動自在に取付けた連結枠２とで構成した型枠３の四組を平面十字状に配置し、この各側板集合隣接端縁同志を適宜の連結部材８によって回動自在に連結したことを特徴とする斜面保護工用型枠を提供する。【選択図】　図１
2004068390.tif 000002
【特許請求の範囲】
【請求項１】
対向する対の多孔性側板と、この両側板間の長手方向に所定の間隔を存して配置すると共に、前記側板に両側端を回動自在に取付けた連結枠とで構成した型枠の四組を平面十字状に配置し、この各側板集合隣接端縁同志を適宜の連結部材によって回動自在に連結したことを特徴とする斜面保護工用型枠。
【請求項２】
対向内端に所定の間隔を存して直列状に配置した二枚の多孔性の短尺側板と、この二枚の短尺側板の片側全長に所定の間隔を存して対向する多孔性の長尺側板と、この短尺側板と長尺側板との間の長手方向に所定の間隔を存して配置すると共に、前記短尺側板と長尺側板とに両側端を回動自在に取付けた連結枠とで構成した端型枠と、この端型枠の短尺側板の対向端にそれぞれ一端を適宜の連結部材によって回動自在に連結した対向一対の多孔性側板と、この両側板間の長手方向に所定の間隔を存して配置すると共に、前記側板に両側端を回動自在に取付けた連結枠とで構成した突出型枠とからなる斜面保護工用型枠。
【発明の詳細な説明】
【０００１】
【発明の属する技術分野】
この発明は、オープンカット工法などにより造成した高速道路や各種施設などに面する傾斜した法面或いは崩壊のおそれのある急傾斜地などの斜面安定に用いる斜面保護工用型枠に関する。
【０００２】
【従来の技術】
上述のような斜面安定に用いる従来の斜面保護工用の型枠は、実公平６−１２０４７号公報に示すように、対向する対の多孔性の側板と、この側板の内側で、側板の長手方向に所定の間隔を存して配置した連結枠とからなり、両側板に対し各連結枠の両側端を回動自在に連結している。
【０００３】
上記の型枠は、現場の配置線上（縦列の線上と横列の線上とに）に運び込んで両側板を開いた状態で設置する。
【０００４】
一方、運び込んだ縦列及び横列の型枠の平面十字状の集合端、すなわち各側板の隣接端縁は、番線などを用いて結合（連結）する。
【０００５】
また、型枠の設置前には、前もって施工面上に下部鉄筋が配置されており、型枠の設置後に連結枠に番線を介し下部鉄筋を支持させる。
【０００６】
次に連結枠上に上部鉄筋を配筋すると共に、連結枠に番線を介し上部鉄筋を支持させる。
【０００７】
しかるのち、型枠にモルタルやコンクリートを打設して、斜面に格子状の安定縦梁、横梁を構築する。
【０００８】
なお、打設に吹付け工法を採用することもある。
【０００９】
【発明が解決しようとする課題】
上記のような型枠によると、作業現場で運び込んだ縦列型枠及び横列型枠を平面十字状に集合させながら、集合端のそれぞれを連結するので、斜面現場での集合端の集合維持をはかりながらの連結作業に著しく手数がかかると共に、危険がともなう問題があった。
【００１０】
また、縦列型枠の端末に横端列型枠の取付け及び横列型枠の端に縦端列型枠の取付けにも同様に上述のような問題が発生する。
【００１１】
そこで、この発明は、現場での作業を著しく簡素化するようにしたことにある。
【００１２】
【課題を解決するための手段】
上記の課題を解決するために、この発明は、対向する対の多孔性側板と、この両側板間の長手方向に所定の間隔を存して配置すると共に、前記側板に両側端を回動自在に取付けた連結枠とで構成した型枠の四組を平面十字状に配置し、この各側板集合隣接端縁同志を適宜の連結部材によって回動自在に連結した斜面保護工用型枠を採用する。
【００１３】
また、対向内端に所定の間隔を存して直列状に配置した二枚の多孔性の短尺側板と、この二枚の短尺側板の片側全長に所定の間隔を存して対向する多孔性の長尺側板と、この短尺側板と長尺側板との間の長手方向に所定の間隔を存して配置すると共に、前記短尺側板と長尺側板とに両側端を回動自在に取付けた連結枠とで構成した端型枠と、この端型枠の短尺側板の対向端にそれぞれ一端を適宜の連結部材によって回動自在に連結した対向一対の多孔性側板と、この両側板間の長手方向に所定の間隔を存して配置すると共に、前記側板に両側端を回動自在に取付けた連結枠とで構成した突出型枠とからなる斜面保護工用型枠を採用する。
【００１４】
【発明の実施の形態】
この発明の実施の形態を添付図面に基づいて説明する。
【００１５】
この発明の第１の実施形態では、図１から図４に示すように、対向する多孔性の側板１、１と、この両側板１間の長手方向に所定の間隔を存して配置すると共に、両側板１に両側端を回動自在に取付けた連結枠２とで型枠３が構成されている。
【００１６】
上記の多孔性の側板１としては、例えば溶接金網などが用いられる。
【００１７】
上記の連結枠２としては、図示の場合上部横棒４及び下部横棒５と、上部横棒４及び下部横棒５の両端部に上下部分を交差させて、交差部分をスポット溶接などで固定した左右一対の縦棒６とで構成され、上部横棒４及び下部横棒５のそれぞれの両端を屈曲して設けた環状部７を、側板１を形成する金網の縦線に回動自在に掛合させてある。
【００１８】
すると、型枠３は、扁平に折り畳むことができる。
【００１９】
上記のように形成された型枠３の四組を平面十字状に配置して側板１の集合隣接端縁同志を、連結部材８を介し回動自在に連結する。
【００２０】
上記の連結部材８としては、金属の線材を環状に屈曲して使用する。
【００２１】
上記のように四組の型枠３の集合端を連結した斜面保護工用型枠Ｋは、斜面Ｌに構築しようとする縦梁と横梁とのそれぞれの交点の部分に、上下方向に向く開いた型枠３を縦梁線上に、左右方向に向く開いた型枠３を横梁線上に位置させる。
【００２２】
次に、上下で対向する型枠３、３及び左右で対向する型枠間に開いた中継ぎ型枠Ｍを配置する。
【００２３】
上記の中継ぎ型枠Ｍは、型枠３と同様に多孔性の対の側板１、１と、連結枠２とで構成され、型枠３と中継ぎ型枠Ｍの側板１、１の端縁部は、それぞれオーバーラップさせて重なり合い、この重なり部分の側板１、１は、針金などを介し止めておく。
【００２４】
また、斜面保護工用型枠Ｋ及び中継ぎ型枠Ｍの載置前の斜面には、前もって下部鉄筋２１を並べておく。
【００２５】
そして、下部横棒５に針金２２を介し下部鉄筋２１を止めておく。
【００２６】
その後に、上部横棒４上に上部鉄筋２３を配筋すると共に、針金２２を介し上部横棒４に上部鉄筋２３を止めておく。
【００２７】
しかして、斜面保護工用型枠Ｋ及び中継ぎ型枠Ｍ内にモルタルやコンクリート２４を打設或いは吹き付けて、縦横に梁を構築する。
【００２８】
この発明の第２の実施形態では、図５に示すように、対向内端に所定の間隔を存して直列状に配置した二枚の多孔性の短尺側板３１、３１と、この二枚の短尺側板３１、３１の片側全長に所定の間隔を存して対向する多孔性の長尺側板３２と、この短尺側板３１、３１と長尺側板３２との間の長手方向に所定の間隔を存して配置すると共に、短尺側板３１と長尺側板３２とに両側端を回動自在に取付けた連結枠２とで端型枠Ｓを形成すると共に、この端型枠Ｓの短尺側板３１、３１の対向端に連結部材８を介し一端を回動自在に連結した多孔性の側板３３、３３と、この両側板３３、３３間の長手方向に所定の間隔を存して配置すると共に、側板３３、３３に両側端を回動自在に取付けた連結枠２とで突出型枠Ｔを平面Ｔ字状に形成する。
【００２９】
上記の短尺側板３１、長尺側板３２、側板３３、連結枠２及び連結部材８は、第１の実施形態と同様につき説明を省略する。
【００３０】
上記のように構成すると、図６に示すように、縦梁及び横梁の構築線上の斜面に開いた端型枠Ｓを載置する。
【００３１】
このとき、第１実施形態の中継ぎ型枠Ｍに向けた突出型枠Ｔの両側板３３に中継ぎ型枠Ｍの側板２、２を（対向端をオーバーラップさせて）針金などを介し止める。
【００３２】
また、上下、左右に位置する端型枠Ｓの長尺側板３２及び短尺側板３１の端部に中継ぎ型枠Ｍの両側板１、１の端をオーバーラップさせて重ね合わすと共に、この重なり部分を針金などを介し止める。
【００３３】
以上のように、構築しようとする縦梁及び横梁の周囲を端型枠Ｓと中継ぎ型枠Ｍとでかこみ、モルタルやコンクリートを打設或いは吹き付けて、周囲の梁（図示省略）を構築する。
【００３４】
勿論、構築に際し、第１の実施形態と同様に、連結枠２の上下に下部鉄筋や上部鉄筋を配筋する。
【００３５】
また、現場に運び込む端型枠Ｓは、扁平に折り畳むことができる。
【００３６】
【発明の効果】
この発明の斜面保護工用型枠は、以上のように四組の型枠を平面十字状に組み立ててあるので、構築しようとする縦梁と横梁との交差部分の型枠の集合組み立てに多大な手数を必要とせず、作業能率の大幅なアップをはかることができる。
【００３７】
また、端型枠と突出型枠とを平面Ｔ字状に組み立ててあるので、中継ぎ型枠を継ぎ足して構築しようとする縦梁と横梁との周囲の梁を極めて容易に構築することができる。
【図面の簡単な説明】
【図１】この発明の第１の実施形態を示す斜視図
【図２】同上の使用状態を示す斜視図
【図３】同平面図
【図４】型枠の縦断拡大正面図
【図５】第２の実施形態を示す斜視図
【図６】同上の使用状態を示す平面図
【符号の説明】
１　　　側板
２　　　連結枠
３　　　型枠
４　　　上部横棒
５　　　下部横棒
６　　　縦棒
７　　　環状部
８　　　連結部材
３１　　短尺側板
３２　　長尺側板
３３　　側板
Ｋ　　　斜面保護工用型枠
Ｍ　　　中継ぎ型枠
Ｓ　　　端型枠
Ｔ　　　突出型枠
【図１】
2004068390.tif 000003
【図２】
2004068390.tif 000004
【図３】
2004068390.tif 000005
【図４】
2004068390.tif 000006
【図５】
2004068390.tif 000007
【図６】
2004068390.tif 000008